(57)【要約】【課題】  原稿の複写操作を効率的に実現し、かつ複写原稿の画質を低下させない印刷装置及びその制御方法、プログラムを提供する。【解決手段】    印刷データを受信し、その印刷データを当該印刷装置内の記憶装置、ネットワーク上の記憶装置、あるいはネットワーク上の複数の情報機器が内蔵する記憶装置のいずれかに記憶する。印刷データの記憶先を示す識別情報を含む該印刷データに基づく印刷を実行する。【選択図】  図３
2005288844.tif 000002
【特許請求の範囲】
【請求項１】
複数の情報機器とネットワークを介して接続され、前記複数の情報機器から受信する印刷データに基づく印刷を実行する印刷装置であって、
前記印刷データを受信する受信手段と、
前記印刷データを当該印刷装置内の記憶装置、前記ネットワーク上の記憶装置、あるいは前記ネットワーク上の前記複数の情報機器が内蔵する記憶装置のいずれかに記憶する記憶手段と、
前記印刷データの前記記憶手段による記憶先を示す識別情報を含む該印刷データに基づく印刷を実行する印刷手段と
を備えることを特徴とする印刷装置。
【請求項２】
前記識別情報は、前記記憶先となる記憶装置を識別する第１識別子及び、前記印刷データの記憶位置を示す第２識別子の少なくとも一方を含む
ことを特徴とする請求項１に記載の印刷装置。
【請求項３】
前記識別情報を、前記記憶手段による記憶先から取得する識別情報取得手段を更に備える
ことを特徴とする請求項１に記載の印刷装置。
【請求項４】
原稿を光学的に読み取る読取手段と、
前記読取手段で読み取った原稿に前記識別情報が組み込まれている場合、前記識別情報で特定される記憶先から、該識別情報に対応する印刷データを取得する取得手段とを更に備え、
前記印刷手段は、前記取得手段で取得した印刷データに基づく印刷を実行する
ことを特徴とする請求項１に記載の印刷装置。
【請求項５】
前記印刷手段は、前記取得手段で取得した識別情報を含む前記印刷データに基づく印刷を実行する
ことを特徴とする請求項４に記載の印刷装置。
【請求項６】
前記印刷手段は、前記取得手段で取得した識別情報を含まない前記印刷データに基づく印刷を実行する
ことを特徴とする請求項４に記載の印刷装置。
【請求項７】
前記印刷データを記憶する記憶装置は、該印刷データと、それに対応する前記識別情報と、前記取得手段によって該識別情報が取得される取得回数を記憶する
ことを特徴とする請求項４に記載の印刷装置。
【請求項８】
前記取得手段は、前記識別情報で特定される記憶先から、該識別情報に対応する印刷データ及び前記取得回数を取得する
ことを特徴とする請求項７に記載の印刷装置。
【請求項９】
前記取得回数に基づいて、前記印刷手段による印刷の実行を制御する制御手段を更に備える
ことを請求項８に記載の印刷装置。
【請求項１０】
前記取得手段は、第１識別情報である前記識別情報で特定される記憶先から取得する前記第１識別情報に対応する第１印刷データに、更に別の第２識別情報が含まれている場合、前記第２識別情報に対応する第２印刷データを更に取得する
ことを特徴とする請求項４に記載の印刷装置。
【請求項１１】
前記印刷手段は、前記取得手段で取得した前記第１及び第２印刷データに基づく印刷を実行する
ことを特徴とする請求項１０に記載の印刷装置。
【請求項１２】
複数の情報機器とネットワークを介して接続され、前記複数の情報機器から受信する印刷データに基づく印刷を実行する印刷装置の制御方法であって、
前記印刷データを受信する受信工程と、
前記印刷データを当該印刷装置内の記憶装置、前記ネットワーク上の記憶装置、あるいは前記ネットワーク上の前記複数の情報機器が内蔵する記憶装置のいずれかに記憶する記憶工程と、
前記印刷データの前記記憶工程による記憶先を示す識別情報を含む該印刷データに基づく印刷を実行する印刷工程と
を備えることを特徴とする印刷装置の制御方法。
【請求項１３】
複数の情報機器とネットワークを介して接続され、前記複数の情報機器から受信する印刷データに基づく印刷を実行する印刷装置の制御を実現するプログラムであって、
前記印刷データを受信する受信工程のプログラムコードと、
前記印刷データを当該印刷装置内の記憶装置、前記ネットワーク上の記憶装置、あるいは前記ネットワーク上の前記複数の情報機器が内蔵する記憶装置のいずれかに記憶する記憶工程のプログラムコードと、
前記印刷データの前記記憶工程による記憶先を示す識別情報を含む該印刷データに基づく印刷を実行する印刷工程のプログラムコードと
を備えることを特徴とするプログラム。
【発明の詳細な説明】
【技術分野】
【０００１】
本発明は、複数の情報機器とネットワークを介して接続され、前記複数の情報機器から受信する印刷データに基づく印刷を実行する印刷装置及びその制御方法、プログラムに関するものである。
【背景技術】
【０００２】
従来、ネットワークに接続された多機能プリンタの中には、ネットワーク経由で送信された印刷データや、自身が備える光学的読取装置から読み込んだ原稿のイメージデータを自身の備える記憶装置に記憶する記憶機能や、ネットワーク経由で他の情報機器に送信する送信機能を備えたものが存在する（特許文献１）。また、記憶装置に記憶されたデータを再度呼び出して、印刷する印刷機能を備えたものも存在する。
【特許文献１】特開平９−３７００４号公報
【発明の開示】
【発明が解決しようとする課題】
【０００３】
しかしながら、光学的読取装置から読み込ませた原稿を印刷（複写）するには、光学的読取装置から読み取ったイメージデータをそのまま印刷するしかなく、原稿のすべてのページを読み取らせる必要があるうえ、読取精度の関係でどうしても原稿よりも画質の劣る複製が作成されてしまうという課題があった。
【０００４】
本発明は上記の課題を解決するためになされたものであり、原稿の複写操作を効率的に実現し、かつ複写原稿の画質を低下させない印刷装置及びその制御方法、プログラムを提供することを目的とする。
【課題を解決するための手段】
【０００５】
上記の目的を達成するための本発明による印刷装置は以下の構成を備える。即ち、
複数の情報機器とネットワークを介して接続され、前記複数の情報機器から受信する印刷データに基づく印刷を実行する印刷装置であって、
前記印刷データを受信する受信手段と、
前記印刷データを当該印刷装置内の記憶装置、前記ネットワーク上の記憶装置、あるいは前記ネットワーク上の前記複数の情報機器が内蔵する記憶装置のいずれかに記憶する記憶手段と、
前記印刷データの前記記憶手段による記憶先を示す識別情報を含む該印刷データに基づく印刷を実行する印刷手段と
を備える。
【０００６】
また、好ましくは、前記識別情報は、前記記憶先となる記憶装置を識別する第１識別子及び、前記印刷データの記憶位置を示す第２識別子の少なくとも一方を含む。
【０００７】
また、好ましくは、前記識別情報を、前記記憶手段による記憶先から取得する識別情報取得手段を更に備える。
【０００８】
また、好ましくは、原稿を光学的に読み取る読取手段と、
前記読取手段で読み取った原稿に前記識別情報が組み込まれている場合、前記識別情報で特定される記憶先から、該識別情報に対応する印刷データを取得する取得手段とを更に備え、
前記印刷手段は、前記取得手段で取得した印刷データに基づく印刷を実行する。
【０００９】
また、好ましくは、前記印刷手段は、前記取得手段で取得した識別情報を含む前記印刷データに基づく印刷を実行する。
【００１０】
また、好ましくは、前記印刷手段は、前記取得手段で取得した識別情報を含まない前記印刷データに基づく印刷を実行する。
【００１１】
また、好ましくは、前記印刷データを記憶する記憶装置は、該印刷データと、それに対応する前記識別情報と、前記取得手段によって該識別情報が取得される取得回数を記憶する。
【００１２】
また、好ましくは、前記取得手段は、前記識別情報で特定される記憶先から、該識別情報に対応する印刷データ及び前記取得回数を取得する。
【００１３】
また、好ましくは、前記取得回数に基づいて、前記印刷手段による印刷の実行を制御する制御手段を更に備える。
【００１４】
また、好ましくは、前記取得手段は、第１識別情報である前記識別情報で特定される記憶先から取得する前記第１識別情報に対応する第１印刷データに、更に別の第２識別情報が含まれている場合、前記第２識別情報に対応する第２印刷データを更に取得する。
【００１５】
また、好ましくは、前記印刷手段は、前記取得手段で取得した前記第１及び第２印刷データに基づく印刷を実行する。
【００１６】
上記の目的を達成するための本発明による印刷装置の制御方法は以下の構成を備える。即ち、
複数の情報機器とネットワークを介して接続され、前記複数の情報機器から受信する印刷データに基づく印刷を実行する印刷装置の制御方法であって、
前記印刷データを受信する受信工程と、
前記印刷データを当該印刷装置内の記憶装置、前記ネットワーク上の記憶装置、あるいは前記ネットワーク上の前記複数の情報機器が内蔵する記憶装置のいずれかに記憶する記憶工程と、
前記印刷データの前記記憶工程による記憶先を示す識別情報を含む該印刷データに基づく印刷を実行する印刷工程と
を備える。
【００１７】
上記の目的を達成するための本発明によるプログラムは以下の構成を備える。即ち、
複数の情報機器とネットワークを介して接続され、前記複数の情報機器から受信する印刷データに基づく印刷を実行する印刷装置の制御を実現するプログラムであって、
前記印刷データを受信する受信工程のプログラムコードと、
前記印刷データを当該印刷装置内の記憶装置、前記ネットワーク上の記憶装置、あるいは前記ネットワーク上の前記複数の情報機器が内蔵する記憶装置のいずれかに記憶する記憶工程のプログラムコードと、
前記印刷データの前記記憶工程による記憶先を示す識別情報を含む該印刷データに基づく印刷を実行する印刷工程のプログラムコードと
を備える。
【発明の効果】
【００１８】
本発明によれば、原稿の複写操作を効率的に実現し、かつ複写原稿の画質を低下させない印刷装置及びその制御方法、プログラムを提供できる。
【発明を実施するための最良の形態】
【００１９】
以下、本発明の実施の形態について図面を用いて詳細に説明する。
【００２０】
＜実施形態１＞
図１は本発明の実施形態１のプリンタの構成例を示す図である。
【００２１】
１０１はプリンタ１００を制御するコントローラである。１０２はこのコントローラ１０１とネットワークを接続し通信を行うためのネットワークインターフェースである。１０３は実際に記録媒体（記録用紙等）に印刷を行うプリンタ部である。
【００２２】
１０４は原稿を光学的に読み取るスキャナである。このスキャナ１０４には、複数の原稿を連続的に読取が可能な自動原稿読取装置（ＡＤＦ）が備えられている。１０５は入力パネルであり、コントローラ１０１がユーザからの指示や応答を入力として取得するために使用する入力キーや各種ボタンが構成されている。
【００２３】
１０６はコントローラ１０１がユーザに情報を伝達するために使用するディスプレイパネルである。このディスプレイパネル１０６には、例えば、ＬＣＤ、ＬＥＤやＣＲＴ等で構成される。１０７はネットワークインターフェース１０２を通じて、プリンタ１００に接続されているネットワークである。１０８はコントローラ１０１に接続されている記憶装置である。
【００２４】
尚、ネットワーク１０７は、典型的にはインターネットやＬＡＮやＷＡＮや電話回線、専用デジタル回線、ＡＴＭやフレームリレー回線、通信衛星回線、ケーブルテレビ回線、データ放送用無線回線等のいずれか、またはこれらの組み合わせにより実現されるいわゆる通信ネットワークであり、データの送受信が可能であれば良い。
【００２５】
また、記憶装置１０８の例には、例えば、ハードディスク、ＣＤ−ＲＯＭ、ＤＶＤ−ＲＯＭ等の大容量記憶装置が挙げられる。また、プリンタ１００には、この記憶装置１０８以外に、コントローラ１０１が各種処理を実行するための制御プログラムや初期データを記憶するＲＯＭ、データの作業領域、一時退避領域、プリントバッファ、スキャナバッファとして機能するＲＡＭが構成されている。
【００２６】
図１のプリンタ１００は、図１に示す構成によって、複数種類の機能（印刷機能、複写機能、送信機能等）を実現する複合機であるＭＦＰ（Multi Function Printer）として機能する。
【００２７】
印刷機能は、例えば、ネットワーク１０７から印刷データをネットワークインターフェース１０２経由でコントローラ１０１が受信し、コントローラ１０１は、その印刷データをプリンタ部１０３で印刷可能なラスターデータに変換した後、プリンタ部１０３によって印刷媒体上に画像を形成する。
【００２８】
複写機能は、スキャナ１０４からの原稿画像に対応する画像読取信号に対応する画像をプリンタ部１０４で記録媒体に印刷する。原稿画像を１つ複写する場合には、この画像読取信号をコントローラ１０１で画像処理して記録信号を生成し、これをプリンタ部１０３によって記録媒体上に印刷させる。一方、原稿画像を複数複写する場合には、記憶装置１０８に一旦一ページ分の記録信号を記憶保持させた後、これをプリンタ部１０３に順次出力して記録媒体上に印刷させる。
【００２９】
送信機能は、スキャナ１０４から得られるラスタ画像を、ＴＩＦＦやＪＰＥＧ等の圧縮画像ファイル形式、あるいはＰＤＦ等のベクトルデータファイル形式の画像ファイルへと変換し、ネットワークインターフェース１０２から出力する。出力された画像ファイルは、ネットワーク１０７を介してサーバ２０６（図２）へ送信されたり、別のプリンタに転送されたりする。
【００３０】
次に、図１のプリンタをネットワークに接続して構成する場合のシステム例について、図２を用いて説明する。
【００３１】
図２は本発明の実施形態１のプリンタをネットワークに接続して構成する場合のシステム例を示す図である。
【００３２】
２０１〜２０４及び２０８は図１のプリンタ１００である。２０５は、個人で利用することが想定される情報機器（ワークステーション）である。２０６及び２０７は、ネットワークで共有して利用されることが想定される情報機器（サーバ）である。２０９は、これらの各機器を相互に接続し通信することを可能とするネットワークである。
【００３３】
また、ネットワーク２０９上に接続される情報機器は、図２に示すもの以外に、記憶装置単体で構成される情報機器も想定される。
【００３４】
そして、ネットワーク上の機器間では、汎用的なファイル共有システムによって、互いの記憶装置（リソース）内のデータの読出／書込が実現されるとともに、データのアクセス権が、例えば、機器別／ユーザ別等の所定単位別に設定されている。
【００３５】
尚、情報機器２０５〜２０８はそれぞれ、汎用コンピュータに搭載される標準的な構成要素（例えば、ＣＰＵ、ＲＡＭ、ＲＯＭ、ハードディスク、外部記憶装置、ネットワークインタフェース、ディスプレイ、キーボード、マウス等）を有している。
【００３６】
次に、プリンタ１００が印刷データを処理して印刷を行う印刷処理について、図３を用いて説明する。
【００３７】
図３は本発明の実施形態１のプリンタの印刷処理を示すフローチャートである。
【００３８】
尚、この印刷処理は、コントローラ１０１の制御によって実行されることを想定している。また、ここでは、プリンタ２０１で印刷処理を実行する場合を例に挙げて説明する。
【００３９】
まず、印刷処理が開始すると、ステップＳ３０２にて、ネットワーク２０９上の情報機器から印刷データを受信する。ステップＳ３０３にて、ネットワーク２０９上で利用可能な記憶装置のリスト（記憶装置リスト）を取得する。
【００４０】
尚、この記憶装置リストは、この印刷処理を実行するプリンタ２０１自身の記憶装置１０８、ネットワーク２０９上に存在する別のプリンタ２０２〜２０４あるいはプリンタ２０８上の記憶装置、あるいはサーバ２０６や２０７上にある記憶装置の内、プリンタ２０１が利用可能な記憶装置のすべてあるいはいずれかのリストで構成される。
【００４１】
ステップＳ３０４にて、処理対象の記憶装置である、記憶装置リストの最初のエントリにポインタをセットする。続く、ステップＳ３０５にて、ポインタがセットされている処理対象の記憶装置が、データ保存可能（印刷データの保存先として利用可能）であるか否かを判定する。データ保存可能である場合（ステップＳ３０５でＹＥＳ）、ステップＳ３０６へ進む。一方、データ保存可能でない場合（ステップＳ３０５でＮＯ）、ステップＳ３０９へ進む。
【００４２】
ステップＳ３０６にて、処理対象の記憶装置に、ステップＳ３０２で受信した受信印刷データを保存する。そして、続く、ステップＳ３０７にて、受信印刷データの正常保存の是非を判定する。正常保存された場合（ステップＳ３０７でＹＥＳ）、ステップＳ３１１へ進む。一方、正常保存されない場合（ステップＳ３０７でＮＯ）、ステップＳ３０８へ進む。
【００４３】
ステップＳ３０８にて、保存に失敗した残骸データが記憶装置上に残っている可能性があるためそれをクリアする。そして、ステップＳ３０９へ進む。ステップＳ３０９にて、処理対象の記憶装置が、記憶装置リストの最後のエントリであるか否かを判定する。最後のエントリである場合（ステップＳ３０９でＹＥＳ）、ステップＳ３１４へ進む。一方、最後のエントリでない場合（ステップＳ３０９でＮＯ）、ステップＳ３１０へ進み、記憶装置リストの次のエントリにポインタをセットし、ステップＳ３０５へ戻る。
【００４４】
ステップＳ３１１にて、保存印刷データの保存先の記憶装置を有する情報機器へ問い合わせて、保存印刷データの記憶先を示す識別情報（記憶先の記憶装置と、ネットワーク上あるいはその記憶装置内の保存印刷データの記憶位置に対応）となる、その保存印刷データのファイルのファイル識別子及びその記憶装置の機器識別子を取得する。
【００４５】
尚、この機器識別子は、ネットワーク２０９内のどこからでもこの記憶装置にアクセスすることが可能で、かつ他の記憶装置と識別可能な情報で構成されている。
【００４６】
続く、ステップＳ３１２にて、取得した記憶装置の機器識別子と印刷データのファイル識別子を合わせた印刷データのアクセス用識別子データ（識別情報）を、保存印刷データに組み込む。この組込は、例えば、保存印刷データに対応するページ画像群の第１ページ画像に相当する印刷データに組み込む。
【００４７】
そして、ステップＳ３１３で、アクセス用識別子データが組み込まれた印刷データをプリンタ部１０３によって印刷する。そして、印刷処理を終了する。
【００４８】
一方、ステップＳ３０９にて、処理対象の記憶装置が記憶装置リストの最後のエントリである場合、ステップＳ３１４にて、ステップＳ３０２にて受信した受信印刷データをプリンタ１０３によって印刷する。その後、続くステップＳ３１５にて、印刷データの送信元に対して、その印刷データを保存するために利用可能な記憶装置が存在しなかったために、印刷データを保存できなかった旨を示すエラー通知を送信する。そして、印刷処理を終了する。
【００４９】
尚、エラー通知は、電子メール、エラーダイアログ等の情報通知手段を用いて実現する。
【００５０】
次に、印刷処理によって出力される印刷物の一例について、図４を用いて説明する。
【００５１】
図４は本発明の実施形態１の印刷物の一例を示すである。
【００５２】
図４では、印刷物の一部として、印刷物の右下隅部分を示しており、４０１に示す文字列が実施形態１の印刷処理（図３）によって、印刷データに組み込まれたアクセス用識別子データである。ここでは、図５に示す数字フォントで表現された文字列をアクセス用識別子データとして直接印刷を行っているが、これに限定されず、例えば、図６に示すような記号列であっても良い。あるいは、電子透かし技術を利用していも良い。
【００５３】
次に、実施形態１で、アクセス用識別子（印刷データの保存先の記憶装置の機器識別子及び印刷データのファイル識別子）が記録されている原稿をスキャナ１０４で読み取った場合に実行する複写処理の処理手順について、図７を用いて説明する。
【００５４】
図７は本発明の実施形態１のプリンタの複写処理を示すフローチャートである。
【００５５】
まず、処理を開始すると、ステップＳ７０２にて、まず、原稿の表紙のみあるいは第１ページをスキャナ１０４で読み取る。そして、ステップＳ７０３にて、読み取った原稿画像にアクセス用識別子（識別情報）が記録されているか否かを判定する。アクセス用識別子が記録されていない場合（ステップＳ７０３でＮＯ）、ステップＳ７１２へ進む。一方、アクセス用識別子が記録されている場合（ステップＳ７０３でＹＥＳ）、ステップＳ７０４へ進む。
【００５６】
ステップＳ７０４にて、ステップＳ７０３で判定されたアクセス用識別子を正確に読み取る。続く、ステップＳ７０５にて、読み出したアクセス用識別子から機器識別子とファイル識別子を取得する。続く、ステップＳ７０６にて、取得した機器識別子に基づいて、その機器識別子に対応する記憶装置にアクセス可能であるか否かをか判定する。アクセス可能である場合（ステップＳ７０６でＹＥＳ）、ステップＳ７０７へ進む。一方、アクセス可能でない場合（ステップＳ７０６でＮＯ）、ステップＳ７１２へ進む。
【００５７】
ステップＳ７０７にて、ファイル識別子に対応する当該ファイルにアクセス可能であるか否かを判定する。当該ファイルにアクセス可能である場合（ステップＳ７０７でＹＥＳ）、ステップＳ７０８へ進む。一方、当該ファイルにアクセス可能でない場合（ステップＳ７０７でＮＯ）、ステップＳ７１２へ進む。
【００５８】
ステップＳ７０８で、当該ファイルを読み出す。続く、ステップＳ７０９にて、正常読出の是非を判定する。正常に読み出させた場合（ステップＳ７０９でＹＥＳ）、ステップＳ７１０へ進む。一方、正常に読み出せなかった場合（ステップＳ７０９でＮＯ）、ステップＳ７１２へ進む。
【００５９】
ステップＳ７１０にて、読出ファイルの内容を印刷データに設定する。そして、続く、ステップＳ７１１にて、印刷データに、ステップＳ７０５で取得した機器識別子とファイル識別子をアクセス用識別子として組み込む。その後、ステップＳ７２４へ進み、アクセス用識別子が組み込まれた印刷データをプリンタ部１０３によって印刷する。
【００６０】
一方、ステップＳ７０３でアクセス用識別子が記録されていない場合、ステップＳ７０６で記憶装置にアクセス可能でない場合、ステップＳ７０７でファイルにアクセス可能でない場合、あるいはステップＳ７０９で当該ファイルを正常に読み出せない場合には、ステップＳ７１２へ進む。
【００６１】
ステップＳ７１２にて、スキャナ１０４から、原稿の表紙あるいは第１ページ以降の残りの原稿全部を読み取り、そのデータを印刷データとして設定する。そして、続く、ステップＳ７１３にて、記憶装置リストを取得する。このステップＳ７１２には、図３のステップＳ３０３に対応する。
【００６２】
ステップＳ７１４にて、処理対象の記憶装置である、記憶装置リストの最初のエントリにポインタをセットする。ステップＳ７１５にて、ポインタがセットされている処理対象の記憶装置が、データ保存可能（印刷データの保存先として利用可能）であるか否かを判定する。データ保存可能である場合（ステップＳ７１５でＹＥＳ）、ステップＳ７１６へ進む。一方、データ保存可能でない場合（ステップＳ７１５でＮＯ）、ステップＳ７１９へ進む。
【００６３】
ステップＳ７１６にて、処理対象の記憶装置に、印刷データを保存する。そして、ステップＳ７１７にて、印刷データの正常保存の是非を判定する。正常保存された場合（ステップＳ７１７でＹＥＳ）、ステップＳ７２２へ進む。一方、正常保存されない場合（ステップＳ７１７でＮＯ）、ステップＳ７１８へ進む。
【００６４】
ステップＳ７１８にて、保存に失敗した残骸データが記憶装置上に残っている可能性があるのでそれをクリアする。そして、ステップＳ７１９へ進む。ステップＳ７１９にて、処理対象の記憶装置が、記憶装置リストの最後のエントリであるか否かを判定する。最後のエントリでない場合（ステップＳ７１９でＮＯ）、ステップＳ７２０へ進み、記憶装置リストの次のエントリにポインタをセットし、ステップＳ７１５へ戻る。一方、最後のエントリである場合（ステップＳ７１９でＹＥＳ）、ステップＳ７２１へ進む。
【００６５】
ステップＳ７２１にて、コントローラ１０１はディスプレイパネル１０６に「読み取った原稿のデータを保存できませんでした」旨を通知するエラー表示を実行する。その後、ステップＳ７２４へ進み、ステップＳ７１２で設定した印刷データをプリンタ部１０３によって印刷する。
【００６６】
一方、ステップＳ７１７にて、正常保存された場合、ステップＳ７２２にて、印刷データの保存先の記憶装置を有する情報機器へ問い合わせて、その保存印刷データのファイルのファイル識別子及びその記憶装置の機器識別子を取得する。
【００６７】
ステップＳ７２３にて、取得した記憶装置の機器識別子と印刷データのファイル識別子を合わせた印刷データのアクセス用識別子データ（識別情報）を、保存印刷データに組み込む。この組込は、例えば、保存印刷データに対応するページ画像群の第１ページ画像に相当する印刷データに組み込む。ステップＳ７２４へ進む。そして、ステップＳ７２４にて、アクセス用識別子データが組込まれた印刷データをプリンタ部１０３によって印刷する。
【００６８】
以上説明したように、実施形態１によれば、ネットワークを経由してプリンタが受信した印刷データは、ネットワーク上のいずれかの使用可能な記憶装置に保存された後、プリンタから、その記憶装置の機器識別子とその印刷データのファイル識別子からなるアクセス用識別子が組み込まれた状態で印刷される。この印刷結果では、例えば、印刷原稿の表紙あるいは第１ページに、アクセス用識別子マークが記録される。
【００６９】
そして、この印刷原稿の複写操作を実行する場合には、その印刷原稿の表紙あるいは第１ページをプリンタ１００のスキャナ１０４でまず読み込み、その原稿画像中のアクセス用識別子を読み取ることで、その表紙あるいは第１ページを含む原稿全部を読み込む代わりに、そのアクセス用識別子によって特定されるファイルを取得して、これを印刷原稿の複写用印刷データとして印刷を行う。また、このようにして印刷された文書にも同様の識別子が記録される。
【００７０】
従来の複写操作では、原稿の複写を行う毎に、光学的な読取とその読取画像の印刷を繰り返すので、主に読取時の画像劣化を回避することができなかった。また、読取原稿のページ数が増加すると、読取時間がかかることもさることながら、自動原稿読取装置が紙詰まり等の読取エラーを起こす確率が高くなり、目的の複写が行えないばかりか、原稿自体に傷をつけてしまうおそれもあった。
【００７１】
これに対し、実施形態１によれば、上記動作を実行することで、複写操作における原稿の読取時間を短縮することができ、かつ読取エラーの発生を低減することができる。また、複写操作によって得られる複写物の画像劣化を防止することができる。
【００７２】
＜実施形態２＞
実施形態２は、実施形態１の応用例である。実施形態１では、複写処理の際には、読取原稿に対応するファイル（印刷データ）を記憶装置から取得できる場合には、その取得した印刷データにアクセス用識別子を組み込んだ印刷データを生成して、それを読取原稿の複写物として印刷していた。この場合、記憶装置から印刷データが得られる限り、画質が良好な印刷物、つまり、記憶装置に登録時の原本原稿と同一の画品位の原稿を得ることができる。
【００７３】
このような構成の場合、ユーザは、原稿の複写操作では、その原稿原本と同等の画品位の複写物を得ることができるものの、原稿原本と同等の画品位の原稿が大量に流布可能性が生じる。しかしながら、原稿原本が秘匿性や機密性の高い文書や、有価証券である場合には、原稿原本と同等の画品位の複写物が生成されることを防止した場合がある。
【００７４】
そこで、実施形態２では、アクセス用識別子が記録された原稿を複写する場合には、その原稿に対応するファイル（印刷データ）を記憶装置から取得するものの、その印刷データには、アクセス用識別子を組み込まずに、それを読取原稿の複写物として印刷する構成について説明する。
【００７５】
つまり、実施形態２では、複写操作時には、アクセス用識別子を取得できる環境である場合でも、アクセス用識別子の印刷データの組込を禁止して、取得した印刷データだけで、読取原稿の複写物を生成する。
【００７６】
尚、実施形態２のプリンタの構成例、そのプリンタをネットワークに接続して構成するシステム例、そのプリンタの印刷処理は、それぞれ実施形態１の図１〜図３と同一である。また、複写処理時の処理対象の原稿は、実施形態１の図４〜図６と同一の構成を有する。
【００７７】
以下、実施形態２の複写処理について、図８を用いて説明する。
【００７８】
図８は本発明の実施形態２のプリンタの複写処理を示すフローチャートである。
【００７９】
尚、図８のステップＳ８０２〜ステップＳ８１０は、実施形態１の図７のステップＳ７０２〜ステップＳ７１０に対応するので、その詳細については省略する。
【００８０】
実施形態２では、ステップＳ８１０にて、読出ファイルの内容を印刷データに設定する。その後、印刷データに、ステップＳ８０５で取得した機器識別子とファイル識別子をアクセス用識別子として組み込まずに、ステップＳ８１２にて、その印刷データをプリンタ部１０３によって印刷する。
【００８１】
一方、ステップＳ８０３でアクセス用識別子が記録されていない場合、ステップＳ８０６で記憶装置にアクセス可能でない場合、ステップＳ８０７でファイルにアクセス可能でない場合、あるいはステップＳ８０９で当該ファイルを正常に読み出せない場合には、ステップＳ８１１にて、スキャナ１０４から、原稿の表紙あるいは第１ページ以降の残りの原稿全部を読み取り、そのデータを印刷データとして設定する。そして、続く、ステップＳ８１２にて、その印刷データをプリンタ部１０３によって印刷する。
【００８２】
以上説明したように、実施形態２によれば、最初に、印刷処理によって得られる印刷物にはアクセス用識別子が記録されており、このアクセス用識別子が記録された印刷物を複写する場合には、対応するファイル（印刷データ）を記憶装置から取得して、その印刷データを用いて複写処理が実行される。
【００８３】
但し、この複写処理によって得られる複写物には、アクセス用識別子が記録されないため、それ以降の複写処理は、通常の複写機の複写動作、つまり、処理対象の原稿を光学的に読み取って得られるデータを用いて複写処理が実行される。
【００８４】
また、複写処理の処理対象の原稿に、アクセス用識別子が記録されていなかったり、記録されているものの何らかの理由で、対応する印刷データを取得できない場合でも、その原稿を光学的に読み取って得られるデータを、ネットワーク上の記憶装置に新たに保存することはない。
【００８５】
これにより、アクセス用識別子が記録された原本原稿を入手して、複写処理を行った場合のみ、原本と同等の画品位の複写物が入手可能となる。また、複写物からさらに複写処理を行おうとした場合には、通常の複写機のように、純粋に光学的複写が実行されることになる。つまり、原本原稿以降の複写物が流布することで、原本と同等の画品位の複写物が大量に作成される危険を防止することができ、原本を厳重に管理することができる。
【００８６】
＜実施形態３＞
実施形態３は、実施形態１の応用例であり、特に、複写処理による同一の原稿の複写回数をカウントして、そのカウント値に基づいて所定処理（例えば、複写回数に応じた複写処理の制限、複写回数に応じた課金処理）を実行する構成について説明する。
【００８７】
尚、実施形態３のプリンタの構成例、そのプリンタをネットワークに接続して構成するシステム例、そのプリンタの印刷処理は、それぞれ実施形態１の図１〜図３と同一である。また、複写処理時の処理対象の原稿は、実施形態１の図４〜図６と同一の構成を有する。
【００８８】
実施形態３では、複写処理による同一の原稿の複写回数をカウントするために、図９に示すような、印刷データの保存ファイルを構成する。
【００８９】
図９は本発明の実施形態３の保存ファイルの構成例を示す図である。
【００９０】
図９において、９０１は保存ファイルであり、例えば、複写処理を実行するプリンタ１００の記憶装置１０８に記憶されている。この保存ファイル９０１は、図３のステップＳ３０６にて、保存先の記憶装置で管理されることになる。
【００９１】
保存ファイル９０１には、印刷データ９０２及びカウンタ９０３が内蔵されている。また、カウンタ９０３は、印刷データの複写回数をカウントするカウンタであり、このカウンタ値は、図３のステップＳ３０６で、印刷データ９０２を初めて記憶装置１０８に記憶する場合には、０にリセットされる。
【００９２】
実施形態３では、このような保存ファイル９０１を利用して、複写処理を実行することになる。
【００９３】
以下、実施形態３の複写処理について、図１０を用いて説明する。
【００９４】
図１０は本発明の実施形態３のプリンタの複写処理を示すフローチャートである。
【００９５】
尚、図１０のステップＳ１００２〜ステップＳ１０２４は、実施形態１の図７のステップＳ７０２〜ステップＳ７２４に対応するので、その詳細については省略する。
【００９６】
特に、図１０では、複写処理の複写回数をカウントして、そのカウント値に基づいて、所定処理を実行する。
【００９７】
図１０において、ステップＳ１０２５にて、ファイルを正常に読み出せた場合、そのファイルに対するカウンタを１インクリメントする。その後、ステップＳ１０１０及びステップＳ１０１１の処理を経て、ステップＳ１０２６にて、処理対象の印刷データに対するカウンタ値を取得する。
【００９８】
ステップＳ１０２７にて、取得したカウンタ値が所定値（例えば、１０回）以上であるか否かを判定する。所定値未満である場合（ステップＳ１０２７でＮＯ）、ステップＳ１０２４に進み、アクセス用識別子データが組込まれた印刷データをプリンタ部１０３によって印刷する。
【００９９】
一方、所定値以上である場合（ステップＳ１０２７でＹＥＳ）、ステップＳ１０２８に進む。ステップＳ１０２８にて、取得したカウント値に応じた所定処理を実行する。
【０１００】
例えば、この所定処理としては、複写回数が１０回以上である場合には、それ以降の複写処理では、１回の処理回数毎に所定の複写料金を徴収するようにしても良い。
【０１０１】
あるいは、複写回数が１０回以上である場合には、それ以降の複写処理を禁止するようにしても良い。この場合、ステップＳ１０２７の処理後、ステップＳ１０２４の処理はスキップされることになる。但し、この場合は、その旨をユーザに通知することが好ましいので、例えば、「複写処理が所定回数以上であるので、複写処理が中断された」旨を示すエラー表示をディスプレイパネル１０６に表示する。
【０１０２】
以上説明したように、実施形態３によれば、実施形態１で説明した効果に加えて、同一の原稿に対する複写処理の処理回数（複写回数）を管理することができるので、この処理回数に基づいて、複写処理の利用制限や、複写処理に係る対価の課金等の、用途や目的に応じた処理を実現することができる。
【０１０３】
＜実施形態４＞
実施形態４は、実施形態２の応用例であり、特に、複写処理による原稿の複写回数をカウントして、そのカウント値に基づいて所定処理（例えば、複写回数に応じた複写処理の制限、複写回数に応じた課金処理）を実行する構成について説明する。
【０１０４】
尚、実施形態４のプリンタの構成例、そのプリンタをネットワークに接続して構成するシステム例、そのプリンタの印刷処理は、それぞれ実施形態１の図１〜図３と同一である。また、複写処理時の処理対象の原稿は、実施形態１の図４〜図６と同一の構成を有する。更に、印刷データの保存ファイルは、実施形態３の図９と同一の構成を有する。
【０１０５】
以下、実施形態３の複写処理について、図１１を用いて説明する。
【０１０６】
図１１は本発明の実施形態４のプリンタの複写処理を示すフローチャートである。
【０１０７】
尚、図１１のステップＳ１１０２〜ステップＳ１１１２は、実施形態２の図８のステップＳ８０２〜ステップＳ８１２に対応するので、その詳細については省略する。
【０１０８】
特に、図１１では、複写処理の処理回数をカウントして、そのカウント値に基づいて、所定処理を実行する。
【０１０９】
図１１において、ステップＳ１１０９にて、ファイルを正常に読み出させた場合、そのファイルに対するカウンタを１インクリメントする。その後、ステップＳ１１１０の処理を経て、ステップＳ１１１４にて、処理対象の印刷データに対するカウンタ値を取得する。
【０１１０】
ステップＳ１１１５にて、取得したカウンタ値が所定値（例えば、１０回）以上であるか否かを判定する。所定値未満である場合（ステップＳ１１１５でＮＯ）、ステップＳ１１１６に進み、印刷データをプリンタ部１０３によって印刷する。
【０１１１】
一方、所定値以上である場合（ステップＳ１１１５でＹＥＳ）、ステップＳ１１１６に進む。ステップＳ１１１６にて、取得したカウント値に応じた所定処理を実行する。
【０１１２】
例えば、この所定処理としては、複写回数が１０回以上である場合には、それ以降の複写処理では、１回の処理回数毎に所定の複写料金を徴収するようにしても良い。
【０１１３】
あるいは、複写回数が１０回以上である場合には、それ以降の複写処理を禁止するようにしても良い。この場合、ステップＳ１１１６の処理後、ステップＳ１１１２の処理はスキップされることになる。但し、この場合は、その旨をユーザに通知することが好ましいので、例えば、「複写処理が所定回数以上であるので、複写処理が中断された」旨を示すエラー表示をディスプレイパネル１０６に表示する。
【０１１４】
以上説明したように、実施形態４によれば、実施形態２で説明した効果に加えて、アクセス用識別子が記録された同一の原稿に対する複写処理の処理回数（複写回数（第１世代の複写の複写回数））を管理することができるので、この処理回数に基づいて、アクセス用識別子が記録された同一の原稿に対する複写処理の利用制限や、複写処理に係る対価の課金等の、用途や目的に応じた処理を実現することができる。
【０１１５】
＜実施形態５＞
実施形態５は、実施形態１の応用例であり、第１印刷データと、その第１印刷データとは異なる第２印刷データを併せて印刷する場合の構成について説明する。特に、実施形態５では、この構成を実現するために、第１印刷データと、第２印刷データの記憶先の記憶装置の機器識別子及びその第２印刷データのファイルのファイル識別子からなる印刷指示データを用いて、印刷処理を実行する。
【０１１６】
尚、実施形態５のプリンタの構成例、そのプリンタをネットワークに接続して構成するシステム例は、実施形態１の図１及び図２と同一である。
【０１１７】
まず、実施形態５のプリンタの印刷処理で用いる印刷指示データについて、図１２を用いて説明する。
【０１１８】
図１２は本発明の実施形態５の印刷指示データの構成例を示す図である。
【０１１９】
図１２において、１３０１は印刷指示データであり、ネットワーク２０９上の情報機器が生成する。この印刷指示データ１３０１は、第１印刷データ１３０２と、第１印刷データと併せて印刷する第２印刷データ（指定文書データ）を記憶する記憶装置の機器識別子１３０３と、その第２印刷データのファイルのファイル識別子１３０４が内蔵されている。
【０１２０】
実施形態５では、このような印刷指示データ１３０１を利用して、印刷処理を実行することになる。
【０１２１】
以下、実施形態５の印刷処理について、図１３を用いて説明する。
【０１２２】
図１３は本発明の実施形態５のプリンタの印刷処理を示すフローチャートである。
【０１２３】
尚、この印刷処理は、コントローラ１０１の制御によって実行されることを想定している。また、ここでは、プリンタ２０１で印刷処理を実行する場合を例に挙げて説明する。
【０１２４】
まず、印刷処理が開始すると、ステップＳ１２０２にて、ネットワーク２０９上の情報機器から印刷指示データを受信する。続く、ステップＳ１２０３にて、印刷指示データ１３０１に含まれている機器識別子１３０３によって指定される記憶装置がアクセス可能であるか否かを判定する。アクセス可能でない場合（ステップＳ１２０３でＮＯ）、ステップＳ１２０７へ進む。一方、アクセス可能である場合（ステップＳ１２０３でＹＥＳ）、ステップＳ１２０４へ進む。
【０１２５】
ステップＳ１２０４にて、印刷指示データ１３０１に含まれているファイル識別子１３０４によって指定されるファイルがアクセス可能であるか否かを判定する。アクセス可能でない場合（ステップＳ１２０４でＮＯ）、ステップＳ１２０７に進む。一方、アクセス可能である場合（ステップＳ１２０４でＹＥＳ）、ステップＳ１２０５へ進む。
【０１２６】
ステップＳ１２０５にて、ステップＳ１２０２で受信した印刷指示データ１３０１に含まれる印刷データ１３０２に対して、機器識別子１３０３とファイル識別子１３０４を組み込む。
【０１２７】
そして、ステップＳ１２０６にて、機器識別子１３０３とファイル識別子１３０４が組み込まれた印刷データを、プリンタ部１０３によって印刷する。そして、印刷処理を終了する。
【０１２８】
一方、ステップＳ１２０３で記憶装置にアクセス可能でない場合、あるいはステップＳ１２０４でファイルにアクセス可能でない場合には、ステップＳ１２０７へ進む。
【０１２９】
ステップＳ１２０７にて、印刷指示データ１３０１の送信元に対して、指定された機器識別子及びファイル識別子に基づく印刷データに対するアクセスが成功しなかった旨を示すエラー通知を送信する。
【０１３０】
尚、エラー通知は、電子メール、エラーダイアログ等の情報通知手段を用いて実現する。
【０１３１】
そして、続く、ステップＳ１２０８にて、ステップＳ１２０２で受信した印刷指示データ１３０１に含まれる印刷データ１３０２のみをプリンタ部１０３によって印刷する。そして、印刷処理を終了する。
【０１３２】
この印刷処理によって出力される印刷物は、実施形態１の図４〜図６と同一の構成を有する。
【０１３３】
また、この印刷物の複写処理は、用途や目的に応じて、実施形態１の図７の複写処理あるいは実施形態２の図８の複写処理を実行することができる。また、実施形態３の図９のような保存ファイルを構成する場合には、実施形態３の図９の複写処理あるいは実施形態４の図１０の複写処理を実行することができる。
【０１３４】
以上説明したように、実施形態５によれば、印刷指示データに対して、印刷対象の第１印刷データとは別にすでにネットワーク上の記憶装置に保存されている第２印刷データを指定する機器識別子とファイル識別子を含めることで、第１印刷データに対する印刷物を印刷する場合には、その第１印刷データとは別の第２印刷データを関連付けて印刷することができる。
【０１３５】
これにより、第１印刷データを含む印刷指示データによって得られる印刷物の複写処理を実行する場合には、第１印刷データの複写物だけでなく、その印刷物によって指定される第２印刷データの複写物を得ることができる。
【０１３６】
これは、例えば、文書の概要を示す第１印刷データと、その詳細を示す第２印刷データを構成しておき、概要のみが印刷された印刷物（第１印刷データの内容と、第２印刷データ指定する機器識別子とファイル識別子を含む印刷物）を配布する。そして、その詳細が必要な被配布人が、上述の複写処理を実行させることによって、概要のみが印刷された印刷物（第１印刷データの内容）に加えて、詳細が印刷された印刷物（第２印刷データ）を得る。
【０１３７】
これにより、文書の配布の際には、その詳細文書を配布しなければならなかったり、概要文書にユーザの手で詳細文書への取得操作を別途提示する手間を省略することができ、より効率的な文書管理システムを構築することができる。
【０１３８】
以上説明したように、本発明によれば、電子データで構成された複数の原稿を複写する場合でも、その電子データを取得することが可能な識別情報を原稿の１ページ目に印刷させておき、この識別情報を用いて、複写対象の複数の原稿に対応する電子データを取得して、その原稿の複写物を得ることができる。これにより、複写操作において、原稿のすべてのページを読み取らせる手間と、複写画像の劣化の問題を解決することが可能になる。
【０１３９】
また、文書管理のために利用することで、目的の原稿が何部複写されたかをカウントしたり、その原稿の複写物一部ごとに別の識別子を与えて、複写されたものを追跡管理することが可能になる。
【０１４０】
更に、概要のみを印刷した印刷物を配布しておき、配布を受けたものが必要に応じて詳細を印刷した印刷物を容易に入手できるようにすることも可能になる。
【０１４１】
このように、本発明によれば、電子文書の複製と配布に関して、従来にない簡便さと柔軟な管理体系を導入することが可能になる。
【０１４２】
尚、上記実施形態では、アクセス用識別子は、記憶装置の機器識別子と印刷データのファイル識別子で構成するものとして説明したが、用途や目的に応じては、機器識別子とファイル識別子の少なくとも一方をアクセス用識別子として構成しても良い。
【０１４３】
例えば、ネットワークに接続されている記憶装置（情報機器内の記憶装置を含む）群全体を１つの記憶装置とみなし、この記憶装置全体で、データの記憶位置管理ができるような場合には、ファイル識別子のみをアクセス用識別子とすることができる。
【０１４４】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１４５】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１４６】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１４７】
その場合、プログラムの機能を有していれば、オブジェクトコード、インタプリタにより実行されるプログラム、ＯＳに供給するスクリプトデータ等の形態であっても良い。
【０１４８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１４９】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１５０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５１】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１５２】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１５３】
【図１】本発明の実施形態１のプリンタの構成例を示す図である。
【図２】本発明の実施形態１のプリンタをネットワークに接続して構成する場合のシステム例を示す図である。
【図３】本発明の実施形態１のプリンタの印刷処理を示すフローチャートである。
【図４】本発明の実施形態１の印刷物の一例を示すである。
【図５】本発明の実施形態１のアクセス用識別子の一例を示す図である。
【図６】本発明の実施形態１のアクセス用識別子の一例を示す図である。
【図７】本発明の実施形態１のプリンタの複写処理を示すフローチャートである。
【図８】本発明の実施形態２のプリンタの複写処理を示すフローチャートである。
【図９】本発明の実施形態３の保存ファイルの構成例を示す図である。
【図１０】本発明の実施形態３のプリンタの複写処理を示すフローチャートである。
【図１１】本発明の実施形態４のプリンタの複写処理を示すフローチャートである。
【図１２】本発明の実施形態５の印刷指示データの構成例を示す図である。
【図１３】本発明の実施形態５のプリンタの印刷処理を示すフローチャートである。
【符号の説明】
【０１５４】
１０１  コントローラ
１０２  ネットワークインターフェースｌ
１０３  プリンタ部
１０４  スキャナ
１０５  入力パネル
１０６  ディスプレイパネル
１０７  ネットワーク
１０８  記憶装置
２０１〜２０４、２０８  プリンタ
２０５  ワークステーション
２０６、２０７  サーバ
【図１】
2005288844.tif 000003
【図２】
2005288844.tif 000004
【図３】
2005288844.tif 000005
【図４】
2005288844.tif 000006
【図５】
2005288844.tif 000007
【図６】
2005288844.tif 000008
【図７】
2005288844.tif 000009
【図８】
2005288844.tif 000010
【図９】
2005288844.tif 000011
【図１０】
2005288844.tif 000012
【図１１】
2005288844.tif 000013
【図１２】
2005288844.tif 000014
【図１３】
2005288844.tif 000015